(57)【要約】      （修正有）【課題】特別な知識がなくとも誰もが容易に演奏でき、同時に歌詞を参照できるように開発された電子楽器デバイスおよびソフトウェアを提供する。【解決手段】ＷＥＢ上で公開されている楽曲の歌詞と歌詞に呼応する和音の情報を持つ複数の提携データベースサイトから、ユーザーが任意の楽曲を一括で検索できるようにし、検索後、選択された楽曲の歌詞と和音名をデバイス画面のフレーム内に表示させると同時に、和音を演奏用に自動取得させ、ユーザーのボタン操作によって和音を曲の進行順に送るとともに、フレーム内の見えやすい位置に選択部分を強調表示させ、演奏用の各種インターフェースやボタン操作によって、選択されている和音の構成音全部または和音を構成する単音を一音ずつ任意の順番、任意の楽器音で出音することを可能とし、またユーザーの声域に合わせられるようキー変更ボタンを押すごとに半音ずつ上げ下げを可能とする。【選択図】図１
2020038281.tif 000002
【特許請求の範囲】
【請求項１】
スマートフォン、タブレットＰＣなど、タッチパネル、出音装置、インターネット接続とＷＥＢ表示機能を備え、かつソフトウェアがインストール可能な端末において、楽曲の歌詞と呼応する和音（名）のデータベースを備える複数の公開されている提携サイトのコンテンツ内を楽曲名、歌手名、歌詞の一部の入力により一覧検索できる検索窓を検索ボタン（６）の操作により表示させられ、検索結果の楽曲一覧を表示後、該当楽曲を選択し和音・歌詞ページを表示することを可能としたフレーム（５）と、該当曲にたどりつけなかった場合に検索一覧まで一つずつ戻ることができるバックボタン（７）と内蔵する楽器音や音量などを変更するためのメニューを格納するメニューバー（８）および、選択された楽曲の和音名を曲の進行順に取得し、ページ読み込み完了時に最初の和音名を自動表示し、タッチ操作で表示された和音の構成音が美しく響くよう一音ずつ数十から数百ミリ秒単位ずらして低音から順に出音を可能とした選択コード表示兼演奏ボタン（２−１）と、前記ボタン（２−１）とは反対に高音から順に出音させることができる演奏ボタン２（２−２）および、選択されている和音の構成音を一音ずつ、音階記号または音階に該当する数値に置き換えて表示する３つ以上の窓から成る単音表示窓（４）および、前記単音表示窓（４）に表示された単音を出音するためのインターフェースである単音演奏用ＵＩ（３）であって、個別に押す、触れる、触ってはなす、何もない場所からスワイプするなどの操作で、該当する単音を任意の順序、タイミングで出音させることを可能とし、演奏・歌唱の進行とともに選択する和音名を順に送りつつ、サイト内の和音の位置情報または順序を記憶させることでフレーム（５）内に選択された該当和音名および歌詞を見えやすい位置に、自動配置させることができる次へボタン（１−１）および、進行順とは逆に進むことができる戻るボタン（１−２）と、読み込んだ和音の音階を押すごとに半音ずつ上げる、または下げることで歌唱などに適した音域に変更を可能としたキー変更用＋−ボタン（９）からなるソフトウェアまたは前記ソフトウェアとタッチパネル、出音装置、インターネット接続とＷＥＢ表示機能を備える端末からなる装置。
【発明の詳細な説明】
【技術分野】
【０００１】
本発明は、特別な知識がなくとも誰もが容易に演奏でき、同時に歌詞を参照できるように開発された電子楽器デバイスおよびソフトウェアに関するものである。
【背景技術】
【０００２】
既存音楽を楽器で演奏することを支援する様々な機器やソフトウェアなどが存在するが、既存楽器の演奏技術を習得する枠から脱せず、誰もが手軽かつ簡単に一定以上のレベルの演奏を楽しむことは困難であった。
【先行技術文献】
【特許文献】
【０００３】
特許文献１  特願特願２０１３−１５９５３１（Ｐ２０１３-１５９５３１）
【発明の概要】
【発明が解決しようとする課題】
【０００４】
楽曲の演奏をするためには、まず楽器の購入や楽器演奏技術の習得が必要となり、仮に習得のために多くの時間をかけたとしても身につかないことも多々あり、誰しもが気軽に一定以上の水準の演奏を楽しめるようになる近道がなかった。
【０００５】
また弾き語り的に楽器演奏と合わせて歌唱するにあたり、カラオケ機器でのキー変更のように人それぞれの声域に合わせた伴奏演奏が好ましいが、個別の声域に演奏を対応させるためには相当な量の和音と和音演奏技術の習得が必要であり、演奏を簡単にするためではなく、歌唱音域に合わせたキーの変更は現実的とは言えなかった。
【０００６】
一般的に楽曲演奏時に楽譜または和音と歌詞を呼応するように表示させておくことが必要だが、そのためには楽譜を用意し演奏時に見えやすいように設置するための器具、演奏時においてもページをめくる、電子端末ではスクロールさせるなど演奏以外にかかる手間が必要であった。
【発明の効果】
【０００７】
ＷＥＢ上で公開されている、楽曲の歌詞および歌詞と呼応する和音を持つ複数のデータベースサイトと提携または前記サイトを運営し、本発明から楽曲を検索、表示、同時に対象楽曲の和音情報およびサイト内の和音の位置情報または表示順序を取得して同和音を表示順にセットし、セットされた和音の構成音全音または一音ずつ出音させることを可能としたインターフェースおよび楽器音と出音装置を内蔵することで、演奏・歌唱中の歌詞部分の追跡・ピックアップ表示させながら、タッチ、スワイプなどでの簡単な操作で本格的な演奏が任意の音色で楽しめるようになる。
【図面の簡単な説明】
【０００８】
【図１】操作画面
【発明を実施するための形態】
【０００９】
以下、図１に基づき、使用例を記載する。
【００１０】
検索ボタン（６）を押し、フレーム（５）の検索ボックスから楽曲名、歌手名、歌詞一部を入力、検索し、対象のデータベースサイトの一致項目を一覧表示させ、合致する項目を選択して楽曲のページを表示する。
【００１１】
フレーム（５）に楽曲ページが表示された時点で、選択コード表示兼演奏ボタン（２−１）に、楽曲最初の和音コードが自動で表示され、同ボタンを押すことで和音を構成する音が数ミリ単位ずれて低音から順に出音され、逆に演奏ボタン２（２−２）を押すことで高音から順に数ミリ単位でずれて構成音が出音される。
【００１２】
前記、選択コード表示兼演奏ボタン（２−１）に和音名がセットされると同時に３つ以上から成る単音表示窓（４）に前記和音を構成する単音の音階記号または音階に該当する数値が自動で割り当てられ、単音演奏用ＵＩ（３）を押す、触れる、触ってはなす、何もない場所からスワイプするなどの操作で単音を順に出音させられ、アルペジオ演奏も可能となる。
【００１３】
次へボタン（１−１）を押すことで、次の和音がセットされ、同時に該当部分の歌詞が見えやすい位置にピックアップ表示される。反対に戻るボタン（１−２）では前の和音がセットされ、該当部分を表示させることができる。
【００１４】
メニューバー（８）からは、楽器音や音色、音量選択が可能であり、バックボタン（７）は表示された画面の前に戻ることができる。
【符号の説明】
【００１５】
１−１ 次へボタン
１−２ 戻るボタン
２−１  選択コード表示兼演奏ボタン
２−２  演奏ボタン２
３        単音演奏用ＵＩ
４        単音表示窓
５        フレーム
６     検索ボタン
７     バックボタン
８     メニューバー
９     キー変更用＋−ボタン
【図１】
2020038281.tif 000003